(57)【要約】【課題】  １枚のフレキシブル基板により液晶表示パネルに対しては駆動信号を供給しバックライトに対しては点灯電源を供給する液晶表示装置をより一層小型・薄型化する。【解決手段】  液晶表示パネル１０と、バックライト３０と、パネル駆動用の信号ライン２１およびバックライト点灯用の電源ライン２２を含む制御用フレキシブル基板２０とを備えている液晶表示装置において、制御用フレキシブル基板２０は信号ライン２１を端子部１２ａに接続するための第１リード電極部２３のほかに電源ライン２２から引き出され端子部１２ａ上に配置される第２リード電極部２４を備え、バックライト３０からは端子部１２ａ上で第２リード電極部２４と重ね合わされる第３リード電極部３３を有するライト用フレキシブル基板３２が引き出されており、端子部１２ａ上で第２リード電極部２４と３第３リード電極部３３とが異方性導電接着手段を介して接続されている。【選択図】  図１
2005292168.tif 000002
【特許請求の範囲】
【請求項１】
液晶表示パネルと、上記液晶表示パネルの反観察面側に配置されるバックライトと、液晶表示パネル駆動用の信号ラインおよびバックライト点灯用の電源ラインを含み上記液晶表示パネルの端子部と上記バックライトとに接続される制御用フレキシブル基板とを備えている液晶表示装置において、
上記制御用フレキシブル基板は上記信号ラインを上記端子部に接続するための第１リード電極部のほかに上記電源ラインから引き出され上記端子部上に配置される第２リード電極部を備え、上記バックライトからは上記端子部上で上記第２リード電極部と重ね合わされる第３リード電極部を有するライト用フレキシブル基板が引き出されており、上記端子部上で上記第２リード電極部と上記第３リード電極部とが異方性導電接着手段を介して接続されていることを特徴とする液晶表示装置。
【請求項２】
上記第２リード電極部と上記第３リード電極部とが、熱圧着による接続時にそれらの間からはみ出される余剰の上記異方性導電接着手段にて上記端子部に固定される請求項１に記載の液晶表示装置。
【発明の詳細な説明】
【技術分野】
【０００１】
本発明は液晶表示パネルの反観察面側にバックライトを有する液晶表示装置に関し、さらに詳しく言えば、１枚のフレキシブル基板により液晶表示パネルに対しては駆動信号を供給しバックライトに対しては点灯電源を供給するようにした液晶表示装置に関するものである。
【背景技術】
【０００２】
透過型もしくは半透過型の液晶表示装置では液晶表示パネルの反観察面側（裏面側）にバックライトが配置される。液晶表示パネルはデジタル系で制御され、バックライトはその光源であるＬＥＤや冷陰極管などの電源がアナログ系で制御される。
【０００３】
そのため、特許文献１に記載の発明では、液晶表示パネルとバックライトから別々にフレキシブル基板を引き出して制御手段に接続するようにしているが、これによると配線スペースおよびコネクタやソケットなどの接続機器も２系統分必要となるため、常に小型化・薄型化が要請されている携帯電話機などに対しては適応できない。
【０００４】
そこで、特許文献２に記載の発明おいては、液晶表示パネルの端子部に接続されるフレキシブル基板にパネル駆動用の信号ラインとバックライト点灯用の電源ラインとを併存させ、その途中から電源ラインを含む枝配線を分岐させてバックライト用に導きＬＥＤ用フレキシブル基板と接続するようにしている。
【０００５】
【特許文献１】特開２００１−２０９０２３号公報
【特許文献２】特開２００３−３２２８７１号公報
【発明の開示】
【発明が解決しようとする課題】
【０００６】
上記特許文献２に記載の発明によれば、特許文献１に記載の発明に比べてフレキシブル基板の配線の簡素化が図れるが、なおも上記電源ラインを含む枝配線をバックライトケースの外側に引き回す必要があり、また、その枝配線と上記ＬＥＤ用フレキシブル基板とを接続する箇所も確保しなければならないため、より一層の小型化・薄型化を図るうえで好ましくない。ちなみに、携帯電話機用途では０．１ｍｍ単位でも問題となる。
【０００７】
したがって、本発明の課題は、１枚のフレキシブル基板により液晶表示パネルに対しては駆動信号を供給しバックライトに対しては点灯電源を供給する液晶表示装置において、より一層の小型化・薄型化を実現することにある。
【課題を解決するための手段】
【０００８】
上記課題を解決するために、本発明は、液晶表示パネルと、上記液晶表示パネルの反観察面側に配置されるバックライトと、液晶表示パネル駆動用の信号ラインおよびバックライト点灯用の電源ラインを含み上記液晶表示パネルの端子部と上記バックライトとに接続される制御用フレキシブル基板とを備えている液晶表示装置において、上記制御用フレキシブル基板は上記信号ラインを上記端子部に接続するための第１リード電極部のほかに上記電源ラインから引き出され上記端子部上に配置される第２リード電極部を備え、上記バックライトからは上記端子部上で上記第２リード電極部と重ね合わされる第３リード電極部を有するライト用フレキシブル基板が引き出されており、上記端子部上で上記第２リード電極部と上記第３リード電極部とが異方性導電接着手段を介して接続されていることを特徴としている。
【０００９】
本発明において、上記第２リード電極部と上記第３リード電極部とが、熱圧着による接続時にそれらの間からはみ出される余剰の上記異方性導電接着手段にて上記端子部に固定されることが好ましい。
【発明の効果】
【００１０】
液晶表示パネルの端子部は、もっぱらパネル面内の透明電極から引き出される引出電極を形成するために設けられ、ＣＯＧ（ｃｈｉｐ  ｏｎ  ｇｌａｓｓ）の場合にチップ部品が実装される以外に特別な用途はなく、この意味で端子部の上部空間はいわばデットスペース的な存在である。本発明は、従来利用されていなかった端子部の上部空間に上記第２リード電極部と上記第３リード電極部とを配置して接続するようにしたもので、これによれば液晶表示パネルの外形内に上記フレキシブル基板のリード電極部を納めることができるとともに上記電源ラインの配線長も短くて済み、携帯電話機などにおいて要求されている厳しい小型化・薄型化の基準に適応することができる。
【発明を実施するための最良の形態】
【００１１】
次に、図１および図２により本発明の実施形態について説明するが、本発明はこれに限定されるものではない。図１は本発明の要部を示す分解斜視図で、図２はフレキシブル基板のリード電極部同士を接続する状態を示す側面図である。
【００１２】
図１に示すように、本発明の液晶表示装置には液晶表示パネル１０と、制御用フレキシブル基板２０と、バックライト３０とが含まれている。液晶表示パネル１０は図示しない液晶層を挟んで対向的に配置された一対の透明電極基板１１，１２を備え、この例ではその一方の透明電極基板１２側のみに端子部１２ａが連設されており、また、端子部１２ａ上にはチップ部品（例えばＩＣ（集積回路）のベアチップ）１３が実装されている。
【００１３】
制御用フレキシブル基板２０には液晶表示パネル駆動用の信号ライン２１と、バックライト点灯用の電源ライン２２とが含まれ、これに関連して制御用フレキシブル基板２０は２つのリード電極部を備えている。その一つは上記信号ライン２１を端子部１２ａに形成されている図示しない引出電極に接続するための第１リード電極部２３である。
【００１４】
もう一つは上記電源ライン２２をバックライト３０に接続するための第２リード電極部２４である。この場合、第２リード電極部２４は制御用フレキシブル基板２０から引き出された枝基板２０ａの端部に設けられており、上記第１リード電極部２３を端子部１２ａに接続したときに端子部１２ａ上に配置される。第２リード電極部２４は端子部１２ａ上で液晶表示パネル１０を駆動するうえで支障とならない位置であればどこに配置されてもよい。
【００１５】
バックライト３０は液晶表示パネル１０の反観察面側基板、この例では透明電極基板１１の裏面側に被せられるバックライトケース３１を備えている。図示しないが、バックライトケース３１内には導光板とその側方に光源として配置されるＬＥＤ（発光ダイオード）とを含むバックライトユニットが収納されている。
【００１６】
バックライトケース３１からは上記ＬＥＤが実装されているライト（ＬＥＤ）用フレキシブル基板３２の一部が引き出されており、その端部には第３リード電極部３３が設けられている。ライト用フレキシブル基板３２は端子部１２ａ上で第３リード電極部３３を第２リード電極部２４と重ね合わすことができる長さを有している。
【００１７】
次に、図１および図２を参照して、本発明による液晶表示装置の組立手順の一例について説明する。まず、バックライトケース３１を被せない図１の状態で液晶表示パネル１０の端子部１２ａを受台４１上に配置したのち、制御用フレキシブル基板２０の第１リード電極部２３を例えば異方性導電フィルム（ＡＣＦ）５１を介して端子部１２ａの所定位置に配置する。このとき第２リード電極部２４は端子部１２ａから避けておく。そして、上から加熱されたヒータバー４２を押し付けて第１リード電極部２３を端子部１２ａに圧着する。
【００１８】
次に、図２に示すように制御用フレキシブル基板２０の第２リード電極部２４を端子部１２ａ上に配置し、その上に異方性導電接着手段の一つに含まれる例えば異方性導電フィルム５２を介してライト用フレキシブル基板３２の第３リード電極部３３を重ね、その上からヒータバー４２を押し付けて第２リード電極部２４と第３リード電極部３３とを圧着する。
【００１９】
しかる後、バックライトケース３１を液晶表示パネル１０の反観察面側に被せて液晶表示パネル１０をバックライトケース３１内に収納し、また、制御用フレキシブル基板２０をバックライトケース３１の背面側に折り曲げて例えば両面粘着テープなどにより固定して組立を完了する。
【００２０】
なお、第２リード電極部２４と第３リード電極部３３とを異方性導電フィルム５２を介して圧着する際に余剰の樹脂がはみ出るようにし、そのはみ出た樹脂にて第２リード電極部２４と第３リード電極部３３とを端子部１２ａに固定することが好ましい。これによれば、外部衝撃などによる接続部の剥がれやリード配線の断線を防止できる。
【００２１】
また、異方性導電フィルムに代えて異方性導電樹脂を用いてもよい。また、上記の例では第２リード電極部２４の上に第３リード電極部３３を重ねるようにしているが、例えばライト用フレキシブル基板３２の配線長によっては逆の配置とすることもできる。
【００２２】
さらに、接続順は任意であって先に第２リード電極部２４と第３リード電極部３３とを端子部１２ａ上もしくは別の場所で接続したのち、第１リード電極部２３を端子部１２ａに接続することもできる。要するに、最終的に第２リード電極部２４と第３リード電極部３３とが接続された状態で端子部１２ａ上に配置されればよい。
【図面の簡単な説明】
【００２３】
【図１】本発明による液晶表示装置の要部を示す分解斜視図。
【図２】フレキシブル基板のリード電極部同士を接続する状態を示す側面図。
【符号の説明】
【００２４】
１０  液晶表示パネル
１１，１２  透明電極基板
１２ａ  端子部
２０  制御用フレキシブル基板
２１  信号ライン
２２  電源ライン
２３  第１リード電極部
２４  第２リード電極部
３０  バックライト
３１  バックライトケース
３２  ライト用フレキシブル基板
３３  第３リード電極部
４１  受台
４２  ヒータバー
５１，５２  異方性導電フィルム
【図１】
2005292168.tif 000003
【図２】
2005292168.tif 000004